【事件の表示】
　平成　６年特許願第　２３０４８号「滴下速度表示器または脈搏もしくは呼吸表示器」拒絶査定不服審判事件〔平成　７年　８月１１日出願公開、特開平　７−２０９０３９〕について、次のとおり審決する。
【結　論】
　本件審判の請求は、成り立たない。
【理　由】
１．手続きの経緯・本願発明
　本願は、平成６年１月２５日の出願であって、その請求項１〜６に係る発明は、平成６年３月１０日付け及び平成１３年９月２１日付けの手続補正書によって補正された明細書並びに図面の記載から見て、その特許請求の範囲の請求項１〜６に記載されたとおりのものであるところ、その請求項１には以下のとおり記載されている。
　
    【請求項１】液滴の滴下間隔の計測部８と、該計測部８に連動される計測スイッチ５と、液滴量の切替部９と、該切替部９に連動されるモードスイッチ４と、前記計測結果を滴下速度に換算する演算部７と、前記滴下速度の表示部３とからなり、滴下発生時に、滴下毎或は一定数の滴下発生時に前記計測スイッチ５を操作することにより滴下速度を表示することを特徴とする滴下速度表示器１。　　（以下、「請求項１に係る発明」という。）
　
　
２．引用例記載の発明
　
（１）これに対して、当審における、平成１６年８月３０日付けで通知した拒絶の理由に引用した本願の出願の日前である平成５年１１月１６日に頒布された実願平４−２６１９３（実開平５−８４３４０号）のＣＤ−ＲＯＭ（以下、「引用例１」という。）には、第１〜４図とともに、
　
（１−１）「【産業上の利用分野】
本考案は、病院等における輸液治療時の点滴流量調整作業に用いる点滴流量表示装置に関する。」（段落番号【０００１】）
　
（１−２）「本考案における、点滴筒選択スイッチと電源スイッチとを一体化した一体型スイッチは、例えばタクトスイッチ（接触式スイッチ）を用いることができる。一体型スイッチが押下されると内部回路に電源が供給され、これ以降は点滴筒選択スイッチとして機能する。さらにこの一体型スイッチを押し続けると、押し続けた時間量により点滴筒の種類、例えば６０滴／ｃｃのものか、１５滴／ｃｃのものであるかを選択できる。また、一体型スイッチを押し続けた時間量によって点滴筒を選択する代わりに、一体型スイッチを複数回押して、その回数から点滴筒を選択するように構成してもよい。このようにして点滴筒選択スイッチと電源スイッチを兼ねることにより、小型化が可能となり、さらに操作スイッチの減少によって、取り扱いが簡易となる。」（段落番号【０００６】）
　
（１−３）「装置の筺体１は看護婦がポケット等に収容して携帯可能な大きさであり、中央には窪み４が設けられており、ここに点滴筒を装着する。また図６に示すように、必要に応じて点滴筒を固定するためのクリップ部材２６を設けることも可能である。筺体１にはスイッチ２が設けられており、これは点滴筒選択スイッチと電源スイッチとが一体化された一体型スイッチである。表示部３は測定された点滴流量を表示する。単位は１時間当たり何ｍｌ流れたかを示す［ｍｌ／ｈ］が一般的である。また、同時に選択した点滴筒の種類を表示している。」（段落番号【００１１】）
　
（１−４）「図２に示すように、窪み４を取り囲むように発光部５、受光部６が設けられており、窪み４に装着された点滴筒の透明筒状部７を発光部５から発せられた光が通過し、受光部６に到達する。この時、筒状部７内を液滴９が通過すると、液滴９が発光部５からの光束を遮るために、受光部６に到達する光が散乱し、受光部６への光束の到達が減少するため液滴通過を認識する。」（段落番号【００１２】）
　
（１−５）「図３は本考案装置の電気回路について説明するブロック図である。発光部５はマイクロコンピュータ８からの点滅信号１８により、パルス状に点滅させられる。この点滅信号１８と同期してゲート１１を開き、ゲート１１が開いたときのみ受光部６からの受光信号を取り込む構成とすることにより、発光時以外の外光による外部ノイズの影響を受けない装置を提供することができる。液滴の認識方法は、前述のように、点滴筒内を落下する液滴が発光部５からの光束を横断する時に生じる光束の散乱（光束の到達量の減少）を検出することによる。液滴の受光信号は、後述のピークホールド回路１２、フィルター１３、増幅器１４、比較器１５を通して波形形成され、液滴の通過に伴って液滴パルス１７を形成する。液滴パルス１７は、マイクロコンピュータ８に入力される。」（段落番号【００１３】）
　
（１−６）「図４は液滴パルス１７を受けてマイクロコンピュータ８が点滴流量を算出する過程を示す流れ図である。点滴流量は、Ｎ滴目（Ｎは１以上の整数）でマイクロコンピュータ８に内蔵されたタイマー１をスタートさせ、Ｎ＋１滴目でタイマー１をストップさせると同時に、やはりマイクロコンピュータ８に内蔵されたタイマー２をスタートさせ、Ｎ＋２滴目でタイマー２をストップさせ、タイマー１とタイマー２によって測定された時間値から３滴間の平均落下時間を求め、対応する点滴筒のモード値、すなわち１５滴／ｃｃあるいは６０滴／ｃｃとの積の逆数から算出され、表示部３に３滴通過毎に表示される。」（段落番号【００１４】）
　
（１−７）「また、スイッチ２はマイクロコンピュータ８に点滴筒選択信号２１を供給する。本考案においては、前述の様にスイッチ２が押されると、電源ＯＦＦからＯＮへの場合はホールド信号１９が出力され、Ｔr1をＯＮさせ、回路（回路電源２３）と電源１０が接続する。この時、点滴筒選択信号２１の電圧は 'Ｈ’レベルになり、マイクロコンピュータ８が電源ＯＮから数秒後に点滴筒選択信号２１を確認したとき、未だ 'Ｈ’レベルを保持しているならば、即ちスイッチ２が押し続けられているならば、６０滴／ｃｃの点滴筒が装着されていると判断する。マイクロコンピュータ８が確認する前にスイッチ２が離されると、点滴筒選択信号２１の電圧は 'Ｌ’レベルとなり、１５滴／ｃｃの点滴筒が装着されていると判断する。マイクロコンピュータ８は前記点滴筒選択信号２１の状態に合わせて演算定数を決定し、選択した点滴筒の表示及び流量表示を行う。」（段落番号【００１７】）
　
が記載されている。
　
（２）また、同じく当審における、平成１６年８月３０日付けで通知した拒絶の理由に引用した本願の出願の日前である平成４年５月７日に頒布された実願平２−９６６７８（実開平４−５３５８８号）のマイクロフィルム（以下、「引用例２」という。）には、第１〜２図とともに、
　
（２−１）「脈拍を計測する者は、片手を患者の腕の脈部にあてがって脈を感知する。このとき、１回の脈を感知する毎に、他方の手の指でノックスライド１２を１回押す。」（第９頁１９行〜第１０頁２行）
　
（２−２）「ノックスライド１２が押されるたびに信号がロジック３２を介してシフトレジスタ３５に入力され、クロックジェネレータ３４から所定数のパルスを取り込む。ここで、この所定数は、６０を前記タイマ３３の所定秒数で除した数値で設定される。たとえば、上述のように所定秒数を１５秒間とした場合には、６０÷１５＝４となり、４個のパルスを取り込むことになる。このように、６０を所定秒数で除して、シフトレジスタ３４における取込パルス数を設定するようにしているのは、所定秒数間に感知された脈拍数を１分間（６０秒間）に変換するためである。」（第１０頁８行〜同１９行）
　
（２−３）「なお、上述の各実施例では、カウント装置を脈拍計として使用した例を示したが、点滴の滴下が１分間当たり何滴行われているかを計測するような場合に適用することができる。この場合には、点滴の滴下に対応して、点滴の１滴が滴下する毎に、ノックスライド１２を１回押すといった操作をタイマ３３の計測秒数の間繰り返すことにより、１分間当たりの滴下数を測定することができる。」（第１４頁２０行〜第１５頁７行）
　
が記載されている。
　
　
３．対比・判断
　
　請求項１に係る発明と
引用例１記載の発明、すなわち、
「液滴９（液滴に相当。）の時間間隔（滴下間隔に相当。）の測定タイマー１とタイマー２（計測部８に相当。）と、該測定タイマー１とタイマー２（計測部８に相当。）に連動される発光部５、受光部６及びゲート１１（計測スイッチ５に対応。）と、点滴筒選択信号２１の状態に合わせて演算定数を決定するマイクロコンピュータ８（液滴量の切替部９に相当。）と、該マイクロコンピュータ８（切替部９に相当。）に連動されるスイッチ２（モードスイッチ４に相当。）と、前記測定された時間間隔（計測結果に相当。）を点滴流量（滴下速度に相当。）に換算するマイクロコンピュータ８（演算部７に相当。）と、前記点滴流量（滴下速度に相当。）の表示部３（表示部３に相当。）とからなり、滴下発生時に、滴下毎に前記発光部５、受光部６及びゲート１１（計測スイッチ５に対応。）を動作させる（操作するに対応。）ことにより点滴流量（滴下速度に相当。）を表示することを特徴とする点滴流量表示装置（滴下速度表示器１に相当。）。」　
とを対比すると、引用例１記載の発明における「発光部５、受光部６及びゲート１１」と請求項１に係る発明における「計測スイッチ５」とは、ともに、計測部に連動され、かつ滴下発生時に、滴下毎に用いる計測手段であるといえるから、
　
両者は、
【一致点】
「液滴の滴下間隔の計測部８と、該計測部８に連動される計測手段と、液滴量の切替部９と、該切替部９に連動されるモードスイッチ４と、前記計測結果を滴下速度に換算する演算部７と、前記滴下速度の表示部３とからなり、滴下発生時に、滴下毎に前記計測手段を用いることにより滴下速度を表示することを特徴とする滴下速度表示器１。」
で一致し、
　
【相違点１】
「請求項１に係る発明では、計測部に連動され、かつ滴下発生時に、滴下毎に用いる計測手段が、計測スイッチ５であり、これを操作するのに対し、
　引用例１記載の発明では、計測部に連動され、かつ滴下発生時に、滴下毎に用いる計測手段が、発光部５、受光部６及びゲート１１であり、これらを動作させる点。」
で相違する。
　
　そして、上記【相違点１】について検討すると、
引用例２には、
「なお、上述の各実施例では、カウント装置を脈拍計として使用した例を示したが、点滴の滴下が１分間当たり何滴行われているかを計測するような場合に適用することができる。この場合には、点滴の滴下に対応して、点滴の１滴が滴下する毎に、ノックスライド１２（計測手段としての計測スイッチ５に相当。）を１回押すといった操作をタイマ３３の計数秒数の間繰り返すことにより、１分間当たりの滴下数を測定することができる。」（上記摘記事項（２−３）参照。）、
と記載されており、いわゆる点滴の滴下速度を計測する場合に適用したものも記載されている。
　したがって、引用例１に記載の発明における計測手段（発光部５、受光部６及びゲート１１）を、引用例２に記載の、計測手段としてのノックスライド１２（計測スイッチ５に相当。）で置換し、これを操作するように構成することは、当業者が容易になし得ることである。
　
　そして、請求項１に係る発明の構成によってもたらされる効果は、引用例１及び２記載の発明から当業者であれば予測できる程度のものであって、格別のものとはいえない。
　したがって、請求項１に係る発明は、引用例１及び２記載の発明に基づいて当業者が容易に発明をすることができたものである。
　
　なお、請求人は、平成１６年１０月１８日付け意見書において、要するに「計測スイッチ５」は引用例２に記載されていない旨主張しているが、引用例２には、これに相当するものとして「ノックスライド１２」が記載されているから、請求人の前記主張は採用できない。
　
　
４．むすび
　したがって、本願請求項１に係る発明は、特許法第２９条第２項の規定により特許を受けることができないから、本願請求項２〜６に係る発明について審理するまでもなく、本願は拒絶をすべきものである。
　よって、結論のとおり審決する。